(57)【要約】【課題】本発明の課題は、作業車両の整備性を向上させることができる技術を提供することにある。【解決手段】リッパ装置は、第１シリンダと、シャンクと、第２シリンダとを備える。シャンクは、第１シリンダによって動作され、平面視で第１シリンダと並ぶ。第２シリンダは、作業車両に取り付けられる基端部と、基端部と反対の先端部とを有する。第２シリンダはシャンクを動作させる。側面視で第２シリンダの基端部及び先端部は、第１シリンダよりも上方に位置する。【選択図】図６
2018062733.tif 000002
【特許請求の範囲】
【請求項１】
作業車両に取り付けられるリッパ装置であって、
第１シリンダと、
前記第１シリンダによって動作され、平面視で第１シリンダと並ぶシャンクと、
前記作業車両に取り付けられる基端部と、前記基端部と反対の先端部とを有し、前記シャンクを動作させ、側面視で前記基端部及び前記先端部が、前記第１シリンダよりも上方に位置する第２シリンダと、
を備えるリッパ装置。
【請求項２】
第３シリンダをさらに備え、
前記第２シリンダ及び前記第３シリンダは、平面視で前記第１シリンダに対して対称に配置される、
請求項１に記載のリッパ装置。
【請求項３】
前記第１シリンダの直径は、前記第２シリンダの直径よりも大きい、
請求項１又は２に記載のリッパ装置。
【請求項４】
前記作業車両に回動可能に取り付けられ、前記第１シリンダの下方に配置され、前記シャンクを支持するアームをさらに備え、
前記アームは、
前記作業車両に取り付けられる第１アーム基端部と、
前記作業車両に取り付けられ、前記第１アーム基端部に対して左右方向離れて配置される第２アーム基端部と、
左右方向において前記第１アーム基端部と前記第２アーム基端部との間に配置される凹部と、
を有し、
前後方向における前記凹部の長さは、前後方向における前記アームの長さの１／３以下である、
請求項１から３のいずれかに記載のリッパ装置。
【請求項５】
前記シャンクは１つのみであり、
平面視において前記第１シリンダと前記シャンクとは前後方向に並んでいる、
請求項１から４のいずれかに記載のリッパ装置。
【請求項６】
平面視において、前記第１シリンダは、前後方向に延びる前記リッパ装置の中心線上に配置され、前後方向に延びる、
請求項１から５のいずれかに記載のリッパ装置。
【請求項７】
車両本体と、
前記車両本体に取り付けられるリッパ装置と、
を備え、
前記リッパ装置は、
第１シリンダと、
前記第１シリンダによって動作され、平面視で第１シリンダと並ぶシャンクと、
前記作業車両に取り付けられる基端部と、前記基端部と反対の先端部とを有し、前記シャンクを動作させ、側面視で前記基端部及び前記先端部が、前記第１シリンダよりも上方に位置する第２シリンダと、
を有する、
作業車両。
【請求項８】
前記第１シリンダは、前記車両本体の車幅方向における中央部に取り付けられる、
請求項７に記載の作業車両。
【請求項９】
前記車両本体の後部は、
前記第２シリンダが取り付けられる第１取付部と、
前記第１取付部の下方に配置される第１配置部と、
を有する、
請求項７又は８に記載の作業車両。
【請求項１０】
前記第１配置部には、冷却水リザーバタンクが配置される、
請求項９に記載の作業車両。
【請求項１１】
前記第１配置部には、前記作業車両の始動スイッチが配置される、
請求項９又は１０に記載の作業車両。
【請求項１２】
前記第１配置部には、前記作業車両の電気系のヒューズ、及び／又は、ブレーカが配置される、
請求項９から１１のいずれかに記載の作業車両。
【請求項１３】
前記第１配置部には、前記作業車両に関する情報を表示するモニタが配置される、
請求項９から１２のいずれかに記載の作業車両。
【請求項１４】
前記リッパ装置は、第３シリンダをさらに有し、
前記第２シリンダ及び前記第３シリンダは、平面視で前記第１シリンダに対して対称に配置され、
前記車両本体の後部は、
前記第３シリンダが取り付けられる第２取付部と、
前記第２取付部の下方に配置される第２配置部と、
をさらに有する、
請求項９から１３のいずれかに記載の作業車両。
【発明の詳細な説明】
【技術分野】
【０００１】
本発明は、作業車両及びリッパ装置に関する。
【背景技術】
【０００２】
作業車両にはリッパ装置が装着されているものがある。リッパ装置は、作業車両の後部に取り付けられる。リッパ装置は、シャンクと、シャンクを作動させるチルトシリンダと、シャンクを昇降させるリフトシリンダとを備えている。作業時には、シャンクがリフトシリンダによって降下される。そして、チルトシリンダによってシャンクを作動させることで、シャンクの先端のリッパポイントを地面に貫入させる。作業が行われないときには、リフトシリンダによってシャンクを上昇させる。
【０００３】
特許文献１のリッパ装置は、１つのチルトシリンダと２つのリフトシリンダとを備えている。チルトシリンダの先端部は、アームに連結されており、リフトシリンダの先端部よりも下方に位置している。
【先行技術文献】
【特許文献】
【０００４】
【特許文献１】米国特許US3527308
【発明の概要】
【発明が解決しようとする課題】
【０００５】
リッパ装置が取り付けられる車両後部は、作業車両の他の部分と比較して、作業者にとってアクセスが容易である。従って、車両後部に、作業車両の部材の配置スペースを設けることができれば、整備性を向上させることができる。
【０００６】
しかし、上記のリッパ装置では、チルトシリンダの先端部が、リフトシリンダの先端部よりも下方に位置している。従って、作業者にとってアクセスが容易なチルトシリンダの下方の位置に配置スペースを設けることは困難である。
【０００７】
本発明の課題は、作業車両の整備性を向上させることができる技術を提供することにある。
【課題を解決するための手段】
【０００８】
本発明の第１の態様に係るリッパ装置は、作業車両に取り付けられるリッパ装置である。リッパ装置は、第１シリンダと、シャンクと、第２シリンダとを備える。シャンクは、第１シリンダによって動作され、平面視で第１シリンダと並ぶ。第２シリンダは、作業車両に取り付けられる基端部と、基端部と反対の先端部とを有する。第２シリンダはシャンクを動作させる。側面視で第２シリンダの基端部及び先端部は、第１シリンダよりも上方に位置する。
【０００９】
本態様に係るリッパ装置では、作業者にとってアクセスが容易な第２シリンダの下方の位置に配置スペースを設けることができる。また、第２シリンダの先端部は配置スペースへのアクセスの妨げとならない。これにより、作業車両の整備性を向上させることができる。
【００１０】
リッパ装置は、第３シリンダをさらに備えてもよい。第２シリンダ及び第３シリンダは、平面視で第１シリンダに対して対称に配置されてもよい。この場合左右一対の第１シリンダが左右に離れて車両本体に取り付けられる場合と比べて、リッパ装置から作業車両に伝わる負荷のバランスを改善することができる。
【００１１】
第１シリンダの直径は、前記第２シリンダの直径よりも大きくてもよい。  リッパ装置は、アームをさらに有してもよい。アームは、車両本体に回動可能に取り付けられ、第１シリンダの下方に配置され、シャンクを支持する。アームは、第１アーム基端部と、第２アーム基端部と、凹部と、を有してもよい。第１アーム基端部は、作業車両に取り付けられる。第２アーム基端部は、作業車両に取り付けられ、第１アーム基端部に対して左右方向に離れて配置される。凹部は、左右方向において第１アーム基端部と第２アーム基端部との間に配置される。前後方向における凹部の長さは、前後方向におけるアームの長さの１／３以下であってもよい。
【００１２】
この場合、凹部が大きい場合と比べて、リッピング作業時に土砂が凹部を通って第１シリンダに接触することを抑えることができる。
【００１３】
シャンクは１つのみであり、平面視において第１シリンダとシャンクとは前後方向に並んでもよい。この場合、作業者は、配置スペースに容易にアクセスすることができる。これにより、整備性を向上させることができる。
【００１４】
車両平面視において、第１シリンダは、前後方向に延びるリッパ装置の中心線上に配置され、前後方向に延びてもよい。この場合、作業者は、配置スペースに容易にアクセスすることができる。これにより、整備性を向上させることができる。
【００１５】
本発明の他の態様に係る作業車両は、車両本体と、上述のリッパ装置とを備える。本態様に係る作業車両では、第２シリンダ及び第２チルトシリンダは、平面視で第１シリンダに対して対称に配置される。このため、左右一対の第１シリンダが左右に離れて車両本体に取り付けられる場合と比べて、リッパ装置から作業車両に伝わる負荷のバランスを改善することができる。
【００１６】
第１シリンダは、車両本体の車幅方向における中央部に取り付けられてもよい。この場合、車両本体において第１シリンダの側方に位置する部分を部材の配置スペースとして利用することができる。また、第１シリンダは、配置スペースへのアクセスへの妨げとならないため、作業者は、配置スペースに容易にアクセスすることができる。これにより、整備性を向上させることができる。
【００１７】
車両本体の後部は、第１取付部と、第１配置部と、を有してもよい。第１取付部には、第２シリンダが取り付けられる。第１配置部は、第１取付部の下方に配置されてもよい。この場合、作業者は、第１配置部に容易にアクセスすることができる。これにより、整備性を向上させることができる。
【００１８】
第１配置部には、冷却水リザーバタンクが配置されてもよい。この場合、冷却水リザーバタンクへのアクセスが容易となる。
【００１９】
第１配置部には、作業車両の始動スイッチが配置されてもよい。この場合、始動スイッチへのアクセスが容易となる。
【００２０】
第１配置部には、作業車両の電気系のヒューズ、及び／又は、ブレーカが配置されてもよい。この場合、ヒューズ、及び／又は、ブレーカへのアクセスが容易となる。
【００２１】
第１配置部には、作業車両に関する情報を表示するモニタが配置されてもよい。この場合、モニタへのアクセスが容易となる。
【００２２】
リッパ装置は、第３シリンダをさらに有してもよい。第２シリンダ及び第３シリンダは、平面視で第１シリンダに対して対称に配置される。車両本体の後部は、第２取付部と、第２配置部と、を有してもよい。第２取付部には、第３シリンダが取り付けられる。第２配置部は、第２取付部の下方に配置されてもよい。この場合、作業者は、第２配置部に容易にアクセスすることができる。これにより、整備性を向上させることができる。
【発明の効果】
【００２３】
本発明によれば、作業車両の整備性を向上させることができる技術を提供することができる。
【図面の簡単な説明】
【００２４】
【図１】実施形態に係る作業車両の斜視図である。
【図２】作業車両の側面図である。
【図３】作業車両の平面図である。
【図４】作業車両の背面図である。
【図５】車両本体の後部の斜視図である。
【図６】車両本体の後部の平面図である。
【図７】リッパ装置のアームの斜視図である。
【図８】作業車両の制御系を示すブロック図である。
【発明を実施するための形態】
【００２５】
以下、図面を参照して、実施形態に係る作業車両１について説明する。図１は、本実施形態に係る作業車両１の斜視図である。図２は、作業車両１の側面図である。図３は、作業車両１の平面図である。図４は、作業車両１の背面図である。本実施形態において、作業車両１はブルドーザである。実施形態において、作業車両１は、運転室を備えていない車両である。後述するように、作業車両１は、遠隔から操作可能である。作業車両１は、車両本体２と作業機３とを有する。
【００２６】
車両本体２は、走行装置４とエンジン室５とを有する。走行装置４は、作業車両１を走行させるための装置である。走行装置４は、履帯４ａ，４ｂを有している。履帯４ａは、車両本体２の左側部に設けられる。履帯４ｂは、車両本体２の右側部に設けられる。履帯４ａ，４ｂが駆動されることにより作業車両１が走行する。
【００２７】
なお、本実施形態において前方とは、車両本体２に対して作業機３が配置されている方向を意味し、後方はその反対の方向を意味する。左右とは、前述の前方を向いた状態での左右の方向を意味するものとする。また、車幅方向は、左右方向と言い換えられてもよい。
【００２８】
エンジン室５は、車両本体２の前部上に配置されている。エンジン室５内には、エンジン１１（図８参照）が配置されている。
【００２９】
車両本体２は、後収容部６と、右収容部７と、左収容部８とを有する。図１に示すように、エンジン室５と、後収容部６と、右収容部７と、左収容部８とは、整備エリアＭＡの周囲を囲むように配置される。エンジン室５は、整備エリアＭＡの前方に配置されている。後収容部６は、整備エリアＭＡの後方に配置されている。右収容部７は、整備エリアＭＡの右方に配置されている。左収容部８は、整備エリアＭＡの左方に配置されている。
【００３０】
例えば、後収容部６は燃料タンクである。後収容部６に燃料タンクが収容される構成であってもよい。右収容部７には、ラジエータなどの冷却装置が配置される。左収容部８には、作動油タンクが配置される。ただし、各収容部６−８に収容される物はこれらの物に限らず、変更されてもよい。
【００３１】
整備エリアＭＡの上方には、蓋部材１０が配置される。蓋部材１０は、整備エリアＭＡを開閉可能に配置される。なお、図１では、蓋部材１０が開かれている状態が図示されており、図２から図４では、蓋部材１０が閉じられている状態が図示されている。
【００３２】
エンジン室５、及び、収容部７には、整備エリアＭＡに面してエンジン室５、及び、収容部７を開閉するための扉（図示せず）が設けられている。作業者は、エンジン室５、及び、収容部７の扉を開くことによって整備エリアＭＡからエンジン室５、及び、収容部７の内部にアクセスすることができる。
【００３３】
作業機３は、車両本体２の前方に配置される。作業機３は、エンジン室５の前方に配置されている。本実施形態において、作業機３は、ブレードである。作業機３は、左アーム１４及び右アーム１５によって支持されている。左アーム１４は、車両本体２の左側部に取り付けられている。右アーム１５は、車両本体２の右側部に取り付けられている。
【００３４】
作業機３には、左チルトシリンダ１６と、右チルトシリンダ１７と、リフトシリンダ１８とが取り付けられている。左チルトシリンダ１６は、車両本体２の左側部に取り付けられている。右チルトシリンダ１７は、車両本体２の左側部に取り付けられている。左チルトシリンダ１６と右チルトシリンダ１７とは、油圧ポンプ１２（図８参照）からの作動油によって駆動される。左チルトシリンダ１６と右チルトシリンダ１７とは、作業機３を左右に動作させる。
【００３５】
リフトシリンダ１８は、車両本体２の車幅方向における中央部に取り付けられる。作業車両１では、リフトシリンダ１８が１つのみ設けられている。リフトシリンダ１８は、エンジン室５の前方に配置される。リフトシリンダ１８は、作業機３の後方に配置される。リフトシリンダ１８は、油圧ポンプ１２からの作動油によって駆動される。リフトシリンダ１８は、作業機３を上下に動作させる。
【００３６】
作業車両１は、リッパ装置３１を備える。図５は、車両本体２の後部の斜視図である。図６は、リッパ装置３１の平面図である。リッパ装置３１は、車両本体２の後方に配置される。リッパ装置３１は、車両本体２の後部に取り付けられる。リッパ装置３１は、シャンク５１と、リッパ支持部材５２と、第１チルトシリンダ５３と、第２チルトシリンダ５４と、リフトシリンダ５５と、アーム５６と、を有する。
【００３７】
シャンク５１は、上下方向に延びており、シャンク５１の下端部は前方へ向かって湾曲している。シャンク５１の下端部には、リッパポイント５７が取り付けられている。リッパ支持部材５２は、シャンク５１を支持している。シャンク５１はリッパ支持部材５２から下方に突出している。
【００３８】
リッパ支持部材５２は、第１チルト取付部５２１と第２チルト取付部５２２とを有する。第１チルト取付部５２１と第２チルト取付部５２２とは、リッパ支持部材５２の上部に設けられている。第１チルト取付部５２１と第２チルト取付部５２２とは、車幅方向に離れて配置されている。第１チルト取付部５２１には、第１チルトシリンダ５３が回動可能に取り付けられる。第２チルト取付部５２２には、第２チルトシリンダ５４が回動可能に取り付けられる。
【００３９】
リッパ支持部材５２は、リフト取付部５２３を有する。リフト取付部５２３は、第１チルト取付部５２１と第２チルト取付部５２２とよりも下方に位置する。リフト取付部５２３には、リフトシリンダ５５が回動可能に取り付けられる。
【００４０】
リッパ支持部材５２は、アーム取付部５２４を有する。アーム取付部５２４は、リフト取付部５２３よりも下方に位置する。アーム取付部５２４には、アーム５６が回動可能に取り付けられる。
【００４１】
第１チルトシリンダ５３及び第２チルトシリンダ５４は、車幅方向に互いに離れて配置される。第１チルトシリンダ５３及び第２チルトシリンダ５４は、アーム取付部５２４を中心にシャンク５１を回動させる。図２に示すように、第１チルトシリンダ５３及び第２チルトシリンダ５４は、後方且つ上方へ向かって傾斜してている。図６に示すように、第１チルトシリンダ５３及び第２チルトシリンダ５４は、車両平面視において車両前後方向に延びている。
【００４２】
第１チルトシリンダ５３は、第１チルト基端部５３１と第１チルト先端部５３２とを有する。第１チルト基端部５３１は、車両本体２に回動可能に取り付けられる。第１チルト先端部５３２は、第１チルトシリンダ５３の軸線方向において第１チルト基端部５３１の反対に位置する。第１チルト先端部５３２は、第１チルト取付部５２１に回動可能に取り付けられる。
【００４３】
第２チルトシリンダ５４は、第２チルト基端部５４１と第２チルト先端部５４２とを有する。第２チルト基端部５４１は、車両本体２に回動可能に取り付けられる。第２チルト先端部５４２は、第２チルトシリンダ５４の軸線方向において第２チルト基端部５４１の反対に位置する。第２チルト先端部５４２は、第２チルト取付部５２２に回動可能に取り付けられる。
【００４４】
車両本体２の後部は、第１チルト取付部２０１と第２チルト取付部２０２とを有する。第１チルト取付部２０１は、第１チルト基端部５３１に回動可能に取り付けられる。第２チルト取付部２０２は、第２チルト基端部５４１に回動可能に取り付けられる。
【００４５】
リフトシリンダ５５は、車両本体２の車幅方向における中央部に取り付けられる。リフトシリンダ５５は、シャンク５１及びリッパ支持部材５２を昇降させる。車両平面視において、リフトシリンダ５５は、第１チルトシリンダ５３と第２チルトシリンダ５４との間に配置される。車両平面視において、リフトシリンダ５５は、車両本体２の車幅方向における中心線の延長線上に配置され、車両前後方向に延びる。リフトシリンダ５５は、チューブ５５ａとロッド５５ｂとを有する。車両平面視においてロッド５５ｂは、チューブ５５ａから後方へ突出している。車両平面視においてリフトシリンダ５５は、前後方向に伸縮する。車両平面視において、リフトシリンダ５５は、第１チルトシリンダ５３及び第２チルトシリンダ５４と重ならない。リフトシリンダ５５は、第１チルトシリンダ５３及び第２チルトシリンダ５４よりも下方に位置する。車両平面視において、リフトシリンダ５５は、シャンク５１と前後方向に並んでいる。リフトシリンダ５５の直径は、第１チルトシリンダ５３の直径よりも太い。リフトシリンダ５５の直径は、第２チルトシリンダ５４の直径よりも太い。
【００４６】
リフトシリンダ５５は、リフト基端部５５１とリフト先端部５５２とを有する。リフト基端部５５１は、車両本体２に回動可能に取り付けられる。リフト先端部５５２は、リフトシリンダ５５の軸線方向においてリフト基端部５５１の反対に位置する。リフト先端部５５２は、リッパ支持部材５２のリフト取付部５２３に回動可能に取り付けられる。第１チルト先端部５３２と第２チルト先端部５４２とは、リフト先端部５５２よりも上方に位置する。第１チルト基端部５３１と第２チルト基端部５４１とは、リフト基端部５５１よりも上方に位置する。
【００４７】
車両本体２の後部は、リフト取付部２０３を有する。リフト取付部２０３には、リフトシリンダ５５のリフト基端部５５１が回動可能に取り付けられる。リフト取付部２０３は、車幅方向において、第１チルト取付部２０１と第２チルト取付部２０２との間に位置する。リフト取付部２０３は、第１チルト取付部２０１及び第２チルト取付部２０２よりも下方に位置する。
【００４８】
アーム５６は、車両本体２に回動可能に取り付けられる。アーム５６は、リフトシリンダ５５の下方に配置される。アーム５６は、シャンク５１及びリッパ支持部材５２を回動可能に支持する。図７は、アーム５６の斜視図である。図７に示すように、アーム５６は、第１アーム先端部６１と、第２アーム先端部６２と、先端側凹部６３と、を有する。
【００４９】
第１アーム先端部６１と第２アーム先端部６２とは、シャンク５１及びリッパ支持部材５２に回動可能に取り付けられる。第１アーム先端部６１と第２アーム先端部６２とは、車幅方向に離れて配置される。第１アーム先端部６１には、車幅方向に貫通する孔６１１が設けられている。第２アーム先端部６２には、車幅方向に貫通する孔６２１が設けられている。第１アーム先端部６１と第２アーム先端部６２とリッパ支持部材５２とシャンク５１とにピン部材が通されることにより、リッパ支持部材５２とシャンク５１とがアーム５６の先端部に回動可能に取り付けられる。
【００５０】
先端側凹部６３は、車幅方向において第１アーム先端部６１と第２アーム先端部６２との間に配置される。車両前後方向における先端側凹部６３の長さは、車両前後方向におけるアーム５６の長さの１／３以下である。先端側凹部６３にはシャンク５１の一部が配置される。
【００５１】
アーム５６は、第１アーム基端部６４と、第２アーム基端部６５と、基端側凹部６６と、を有する。第１アーム基端部６４と第２アーム基端部６５とは、車両本体２に回動可能に取り付けられる。第２アーム基端部６５は、第１アーム基端部６４に対して車幅方向に離れて配置される。第１アーム基端部６４には車幅方向に貫通する孔６４１が設けられている。第２アーム基端部６５には車幅方向に貫通する孔６５１が設けられている。
【００５２】
図４及び図５に示すように、車両本体２の後部には、第１アーム取付部２０４と第２アーム取付部２０５とが設けられている。第１アーム取付部２０４と第２アーム取付部２０５とは、履帯４ａ，４ｂの上面よりも下方に位置する。第１アーム取付部２０４と第２アーム取付部２０５とは、履帯４ａ，４ｂの内側方に位置する。第１アーム取付部２０４と第２アーム取付部２０５とは、リフト取付部２０３よりも下方に位置する。
【００５３】
第１アーム基端部６４と第１アーム取付部２０４とにピン部材が通されることにより、第１アーム基端部６４が第１アーム取付部２０４に回動可能に取り付けられる。第２アーム基端部６５と第２アーム取付部２０５とにピン部材が通されることにより、第２アーム基端部６５が第２アーム取付部２０５に回動可能に取り付けられる。
【００５４】
図７に示すように、基端側凹部６６は、車幅方向において第１アーム基端部６４と第２アーム基端部６５との間に配置される。基端側凹部６６は、アーム５６の基端部から先端側へ向かって凹んだ形状を有する。車両前後方向における基端側凹部６６の長さは、車両前後方向におけるアーム５６の長さの１／３以下である。
【００５５】
また、アーム５６を車両本体２に取り付けるための孔６４１，６５１の中心線と、基端側凹部６６との間の距離Ｌ２は、アーム５６を車両本体２に取り付けるための孔６４１，６５１の中心線と、アーム５６をシャンク５１に取り付けるための孔６１１，６２１の中心線との間の距離Ｌ１の１／３以下である。
【００５６】
ただし、基端側凹部６６の長さは、アーム５６の長さの１／３以下に限られない。基端側凹部６６は、第１アーム基端部６４と第１アーム取付部２０４とを固定するピン部材が取り外し可能な程度の大きさであればよい。基端側凹部６６は、第２アーム基端部６５と第２アーム取付部２０５とを固定するピン部材が取り外し可能な程度の大きさであればよい。
【００５７】
アーム５６は、平面視でリフトシリンダ５５のチューブ５５ａと重なる。例えば、平面視において、アーム５６は、前後方向におけるチューブ５５ａの半分以上と重なる。平面視で、アーム５６は、チューブ５５ａの全体と重なってもよい。
【００５８】
アーム５６は、アーム５６の車幅方向の寸法が車両本体２の後方へ向かって小さくなるように、先細りの形状を有する。すなわち、アーム５６の先端部の幅は、アーム５６の基端部の幅よりも小さい。
【００５９】
詳細には、アーム５６の左側面は、基端側左側面６７と先端側左側面６８とを有する。基端側左側面６７は、アーム５６の基端部から先端側へ延びている。基端側左側面６７は、概ね車両前後方向に平行である。先端側左側面６８は、基端側左側面６７の先端側に位置する。先端側左側面６８は、車両本体２の後方へ向かって、車両本体２の車幅方向における中心線に近づくように、車両前後方向に対して傾斜している。
【００６０】
アーム５６の右側面は、基端側右側面６９と先端側右側面７０とを有する。基端側右側面６９は、アーム５６の基端部から先端側へ延びている。基端側右側面６９は、概ね車両前後方向に平行である。先端側右側面７０は、基端側右側面６９の先端側に位置する。先端側右側面７０は、車両本体２の後方へ向かって、車両本体２の車幅方向における中心線に近づくように、車両前後方向に対して傾斜している。
【００６１】
図６に示すように、先端側左側面６８の少なくとも一部は、第１チルトシリンダ５３よりも内側方に位置する。先端側右側面７０の少なくとも一部は、第２チルトシリンダ５４よりも内側方に位置する。車両平面視において、基端側左側面６７は、第１チルトシリンダ５３と重なる。車両平面視において、基端側右側面６９は、第２チルトシリンダ５４と重なる。アーム５６の先端部の幅は、第１チルト先端部５３２と第２チルト先端部５４２との間隔よりも小さい。アーム５６の基端端部の幅は、第１チルト基端部５３１と第２チルト基端部５４１との間隔よりも大きい。
【００６２】
以上説明したリッパ装置は、チルト動作とリフト動作とを行う。チルト動作では、チルトシリンダ５３，５４が伸びるが、リフトシリンダ５５は伸縮せずリフトシリンダ５５の長さは固定される。これにより、リフトシリンダ５５とアーム５６とが回動して、リフトシリンダ５５の先端部とアーム５６の先端部とが上昇しつつ、シャンク５１が傾斜する。
【００６３】
リフト動作では、リフトシリンダ５５が縮むが、チルトシリンダ５３，５４は伸縮せずチルトシリンダ５３，５４の長さは固定される。このため、リッパ支持部材５２が車体側に引き寄せられ、チルトシリンダ５３，５４の先端部とアーム５６の先端部とが上昇するようにチルトシリンダ５３，５４とアーム５６が回動する。これにより、リッパ支持部材５２とシャンク５１とが上昇する。
【００６４】
図４及び図５に示すように、車両本体２の後部は、第１配置部７１と第２配置部７２とを有する。第１配置部７１は、第１チルト取付部２０１の下方に配置される。第１配置部７１は、第１アーム取付部２０４の上方に配置される。第２配置部７２は、第２チルト取付部２０２の下方に配置される。第２配置部７２は、第２アーム取付部２０５の上方に配置される。
【００６５】
第１配置部７１と第２配置部７２とは、車幅方向に離れて配置される。第１配置部７１と第２配置部７２との間には、リフトシリンダ５５が配置される。言い換えれば、第１配置部７１は、リフトシリンダ５５の外側方に配置される。第２配置部７２は、リフトシリンダ５５の外側方に配置される。
【００６６】
第１配置部７１には、冷却水リザーバタンク、始動スイッチ、緊急停止スイッチ、燃料タンクストレーナ、燃料プレフィルタ、燃料ウォータセパレータ、アクセスライトスイッチ、クイックドレン、クイックチャージ、オイルサンプリングなどのアクセス頻度の高い部材のうちの１つ、或いは複数が配置される。第２配置部７２には、上記の部材のうちの１つ、或いは複数が配置される。
【００６７】
図８は、作業車両１の制御系を示すブロック図である。図８に示すように、作業車両１は、油圧ポンプ１２とポンプ容量制御部１９を有する。油圧ポンプ１２は、エンジン１１によって駆動されることで作動油を吐出する。油圧ポンプ１２は可変容量ポンプであり、ポンプ容量制御部１９は、油圧ポンプ１２の吐出容量を制御する。
【００６８】
作業車両１は、作業機制御弁２０と油圧アクチュエータ２１とを有する。油圧アクチュエータ２１は、油圧ポンプ１２から吐出された作動油によって駆動される。例えば、油圧アクチュエータ２１は、作業機３のリフトシリンダ１８と左右のチルトシリンダ１６，１７とを含む。また、油圧アクチュエータ２１は、リッパ装置３１のリフトシリンダ５５と第１、第２チルトシリンダ５３，５４とを含む。作業機制御弁２０は、油圧アクチュエータ２１への作動油の供給と排出とを制御する。
【００６９】
作業車両１は、動力伝達装置１３とクラッチ制御弁２２とを有する。動力伝達装置１３は、例えばトランスミッションとトルクコンバーターとを含む。クラッチ制御弁２２は、動力伝達装置１３に含まれる変速クラッチ、前後進クラッチ、ステアリングクラッチなどの切換を制御する。
【００７０】
作業車両１は、撮像部２３を有する。撮像部２３は、作業車両１の周囲の画像を取得する。撮像部２３は、周囲撮像部４０と作業機撮像部４５とリッパ撮像部４６とを有する。周囲撮像部４０は、車両本体２の周囲の領域を撮像する。すなわち、周囲撮像部４０は、車両本体２の前後左右の領域を撮像する。
【００７１】
詳細には、周囲撮像部４０は、前撮像部４１と、左撮像部４２と、右撮像部４３と、後撮像部４４とを含む。図２に示すように、前撮像部４１は、支持部材３３に取り付けられる。支持部材３３は、車両本体２の前部に取り付けられる。支持部材３３は、車両本体２の車幅方向における中央部に取り付けられる。前撮像部４１は、車両本体２の前方を撮像する。
【００７２】
左撮像部４２は、車両本体２の左側部に取り付けられる。左撮像部４２は、車両本体２の左方を撮像する。図３に示すように、右撮像部４３は、車両本体２の右側部に取り付けられる。右撮像部４３は、車両本体２の右方を撮像する。後撮像部４４は、車両本体２の後部に取り付けられる。後撮像部４４は、車両本体２の後方を撮像する。
【００７３】
作業機撮像部４５は、作業機３の前方の領域と作業機３とを撮像する。作業機撮像部４５は、作業機３の上方に配置されている。詳細には、作業機撮像部４５は、作業機３の上端よりも上方に配置されている。作業機撮像部４５は、前撮像部４１よりも上方に配置される。作業機撮像部４５は、前撮像部４１よりも前方に配置される。作業機撮像部４５は、支持部材３３に支持されている。
【００７４】
リッパ撮像部４６は、リッパ装置３１による作業位置を撮像する。詳細には、リッパ撮像部４６は、リッパポイント５７とその周囲の領域を撮像する。図５に示すように、リッパ撮像部４６は、車両本体２の後部の左側端部に取り付けられる。図１に示すように、リッパ撮像部４６は、後撮像部４４よりも下方に配置される。リッパ撮像部４６は、車両本体２の後部において、アーム５６よりも上方に配置される。リッパ撮像部４６は、車両本体２の後部において、アーム５６の基端部よりも外側方に配置される。リッパ撮像部４６の下方には履帯４ａが位置している。
【００７５】
図５に示すように、先端側左側面６８は、リッパ撮像部４６とシャンク５１の下端部とを結ぶ仮想直線Ｌ１と重ならないように傾斜している。これにより、リッパ撮像部４６は、アーム５６よりも上方の位置からアーム５６よりも下方に位置するシャンク５１の下端部及びその周囲を撮像することができる。
【００７６】
なお、リッパ撮像部４６は、車両本体２の後部の右側端部に配置されてもよい。この場合も、先端側右側面７０が、リッパ撮像部４６とシャンク５１の下端部とを結ぶ仮想直線と重ならないように傾斜していることにより、リッパ撮像部４６は、アーム５６に干渉されずに、アーム５６よりも上方の位置からアーム５６よりも下方に位置するシャンク５１の下端部を撮像することができる。或いは、リッパ撮像部４６は、車両本体２の後部の左右の側端部の両方に配置されてもよい。
【００７７】
図８に示すように、作業車両１は、車両制御部２４と通信部２５とを備える。通信部２５は、車両本体２に搭載されたアンテナ９９（図１参照）に接続される。通信部２５は、遠隔操作装置２６の通信部２７と無線により通信を行う。例えば、遠隔操作装置２６は、作業車両１が用いられる作業現場から離れた管理センター内に配置される。或いは、遠隔操作装置２６は、持ち運び可能であってもよく、作業現場に配置されてもよい。
【００７８】
車両制御部２４は、ＣＰＵなどの演算装置と、ＲＡＭ或いはＲＯＭなどのメモリ、或いは、ハードディスクなどのストレージ装置によって構成される。車両制御部２４は、遠隔操作装置２６からの操作信号に基づいて、作業車両１を制御するようにプログラムされている。また、車両制御部２４は、有線又は無線を介して撮像部２３が取得した画像データを取得する。車両制御部２４は、撮像部２３が撮像した画像データを通信部２５を介して遠隔操作装置２６の通信部２７に送信する。
【００７９】
遠隔操作装置２６は、遠隔制御部２８と操作部２９とを有する。遠隔制御部２８は、ＣＰＵなどの演算装置と、ＲＡＭ或いはＲＯＭなどのメモリ、或いは、ハードディスクなどのストレージ装置によって構成される。
【００８０】
操作部２９は、作業車両１を運転するオペレータによって操作される。例えば、操作部２９は、エンジン１１の出力を調節するためのアクセル操作装置を含む。操作部２９は、作業機３を操作するための作業機操作装置を含む。操作部２９は、リッパ装置３１を操作するためのリッパ操作装置を含む。操作部２９は、作業車両１の進行方向を左右に変更するためのステアリング操作装置を含む。遠隔制御部２８は、操作部２９による操作内容を示す操作信号を、通信部２７を介して、作業車両１の通信部２５に送信する。
【００８１】
遠隔操作装置２６は、表示部３０を有する。表示部３０は、例えばＣＲＴ、ＬＣＤ或いはＯＥＬＤなどのディスプレイによって構成される。ただし、表示部３０はこれらのディスプレイに限らず、他の種類のディスプレイであってもよい。
【００８２】
遠隔操作装置２６の通信部２７は、撮像部２３が撮像した画像データを作業車両１の通信部２５から受信する。遠隔制御部２８は、撮像部２３が撮像した画像データに基づいて、作業車両１の周囲を示す画像を表示部３０に表示するようにプログラムされている。例えば、遠隔制御部２８は、撮像部２３が撮像した画像から俯瞰画像を合成して表示部３０に表示させてもよい。或いは、遠隔制御部２８は、撮像部２３が撮像した画像をそれぞれ表示部３０に表示させてもよい。
【００８３】
オペレータは、表示画像を見ながら、操作部２９を操作する。これにより、遠隔操作装置２６の通信部２７から操作信号が送信され、作業車両１の通信部２５は、遠隔操作装置２６からの操作信号を受信する。車両制御部２４は、操作信号に基づいて、上述したエンジン１１、ポンプ容量制御部１９、作業機制御弁２０、クラッチ制御弁２２などを制御する。これにより、オペレータは、作業車両１を遠隔から操作することができる。
【００８４】
以上説明した本実施形態に係る作業車両１では、第１チルト先端部５３２と第２チルト先端部５４２とは、リフトシリンダ５５よりも上方に位置する。また、第１チルト基端部５３１と第２チルト基端部５４１とは、リフトシリンダ５５よりも上方に位置する。このため、車両本体２の後部において第１チルトシリンダ５３及び第２チルトシリンダ５４の下方に位置する部分を配置部７１，７２の配置スペースとして利用することができる。また、第１チルトシリンダ５３及び第２チルトシリンダ５４が配置部７１，７２へのアクセスの妨げとならないため、作業者は、配置部７１，７２に容易にアクセスすることができる。これにより、整備性を向上させることができる。
【００８５】
リフトシリンダ５５が車両本体２の車幅方向における中央部に取り付けられる。従って、車両本体２の後部においてリフトシリンダ５５の左方、及び、右方に位置する部分に、配置部７１，７２を配置することができる。そして、リフトシリンダ５５は、配置部７１，７２へのアクセスへの妨げとならないため、作業者は、配置部７１，７２に容易にアクセスすることができる。これにより、整備性を向上させることができる。
【００８６】
また、一対のリフトシリンダ５５が左右に離れて配置される場合と比べて、車両本体２にかかる捻れによる負荷を低減することができる。さらに、車両本体２の後方は後撮像部４４によって撮像される。そのため、オペレータは、後撮像部４４によって撮像された画像を見ることで、車両本体２の後方の状況を確認することができる。従って、リフトシリンダ５５が車両本体２の車幅方向における中央部に取り付けられても、リフトシリンダ５５が視界を妨げる問題は生じない。
【００８７】
車両前後方向におけるアーム５６の基端側凹部６６の長さは、車両前後方向におけるアーム５６の長さの１／３以下である。このため、基端側凹部６６がさらに大きい場合と比べて、リッピング作業時に土砂が基端側凹部６６を通ってリフトシリンダ５５に接触することを抑えることができる。
【００８８】
リフトシリンダ５５は、第１チルトシリンダ５３と第２チルトシリンダ５４との間に配置される。また、車両平面視において、リフトシリンダ５５は、車両本体２の車幅方向における中心線の延長線上に配置され、車両前後方向に延びている。このため、作業者は、リフトシリンダ５５の左右の側方から、配置部７１，７２に容易にアクセスすることができる。これにより、整備性を向上させることができる。
【００８９】
作業車両１は、遠隔操作装置２６によって遠隔から操作可能である。従って、オペレータは、作業車両１の外部から作業車両１を操作することができる。また、オペレータは、地上から配置部７１，７２に容易にアクセスすることができるので、整備性を向上させることができる。
【００９０】
以上、本発明の一実施形態について説明したが、本発明は上記実施形態に限定されるものではなく、発明の要旨を逸脱しない範囲で種々の変更が可能である。
【００９１】
作業車両は、ブルドーザに限らず、ホイールローダなどの他の種類の作業車両であってもよい。作業車両は、遠隔操作される車両に限らず、有人の作業車両であってもよい。或いは、有人の作業車両と同様に、車両本体に運転室が設けられており、運転室内に遠隔操作装置２６と同様の装置が配置されてもよい。それにより、オペレータは、表示画像を見ながら、作業車両１を容易に操作することができる。
【００９２】
周囲撮像部４０の数は、４つに限らず、３つ以下、或いは５つ以上であってもよい。周囲撮像部４０の各撮像部の配置は、上記の実施形態の配置に限らず、異なる配置であってもよい。前撮像部４１は、支持部材３３に限らず、他の部分に取り付けられてもよい。例えば、前撮像部４１は、車両本体２に取り付けられてもよい。
【００９３】
作業機撮像部４５の数は、１つに限らず、２つ以上であってもよい。作業機撮像部４５の配置は、上記の実施形態の配置に限らず、異なる配置であってもよい。リッパ撮像部４６の数は、１つに限らず、２つ以上であってもよい。リッパ撮像部４６の配置は、上記の実施形態の配置に限らず、異なる配置であってもよい。
【００９４】
後方撮像部４４以外の撮像部が省略されてもよい。例えば、車両本体２に運転席が設けられ、オペレータが目視によって車両の前方、左方、及び右方を確認しながら操作を行ってもよい。この場合、オペレータは、後方撮像部４４が撮像した画像を運転席に配置された表示部３０によって確認できればよい。また、この場合、支持部材３３は省略されてもよい。
【００９５】
配置部は、第１チルト取付部２０１の下方のみに配置されてもよい。すなわち、第１配置部７１のみが車両本体２に設けられ、第２配置部７２が省略されてもよい。或いは、配置部は、第２チルト取付部２０２の下方のみに配置されてもよい。すなわち、第２配置部７２のみが車両本体２に設けられ、第１配置部７１が省略されてもよい。
【産業上の利用可能性】
【００９６】
本発明によれば、作業車両の整備性を向上させることができる技術を提供することができる。
【符号の説明】
【００９７】
２      車両本体
４４    後方撮像部
３１    リッパ装置
５１    シャンク
５３    第１チルトシリンダ
５４    第２チルトシリンダ
５５    リフトシリンダ
５３１  第１チルト基端部
５３２  第１チルト先端部
５６    アーム
６４    第１アーム基端部
６５    第２アーム基端部
６６    基端側凹部
２０１  第１チルト取付部
２０２  第２チルト取付部
７１    第１配置部
７２    第２配置部
２５    通信部
２４    車両制御部
【図１】
2018062733.tif 000003
【図２】
2018062733.tif 000004
【図３】
2018062733.tif 000005
【図４】
2018062733.tif 000006
【図５】
2018062733.tif 000007
【図６】
2018062733.tif 000008
【図７】
2018062733.tif 000009
【図８】
2018062733.tif 000010